(57)【要約】【課題】従来の電子機器では、メンブレンスイッチを操作パネル部に取り付ける際、メンブレンスイッチ部後方に配置した制御部と接続するためにテイル部を折り曲げる必要がある。このとき、テイル部は、局所的に折り曲がろうとせず、折れ曲がる付近全体が湾曲しようとし、テイル部近傍のスイッチ部が不所望にオン状態を継続するおそれがある。【解決手段】メンブレンスイッチ１６は、第１の絶縁フィルムと第２の絶縁フィルムとを所定位置に開口部を有する絶縁スペーサで重合することにより形成した一対の可撓性シートから形成され、また該一対の可撓性シートから延設されたテイル部２０とを有し、該テイル部２０を折曲する部分に切り込み２６を設け、折曲による一対の可撓性シートの変形範囲を小さくした構成である。【選択図】  図７
2004355866.tif 000002
【特許請求の範囲】
【請求項１】
第１の絶縁フィルムと第２の絶縁フィルムとを所定位置に開口部を有する絶縁スペーサで重合することにより形成した一対の可撓性シートと、前記絶縁シートの開口部において前記可撓性シートの対向面にそれぞれ形成し、前記開口部位置において前記可撓性シートの厚み方向の荷重が加わると接触するスイッチ部を形成する第１の電極及び第２の電極と、前記可撓性シート対向面に形成され、前記第１の電極に接続された第１の配線及び第２の電極に接続された第２の配線と、前記１対の可撓性シートから延設され、前記第１の配線及び第２の配線の一部を集積して先端部まで引き回されたテイル部と、電子機器への取付け時に前記テイル部を折曲する際の前記テイル部の折曲部付近に折り曲げくせをつけやすくする切込みを設けたことを特徴とするメンブレンスイッチ。
【請求項２】
第１の絶縁フィルムと第２の絶縁フィルムとを所定位置に開口部を有する絶縁スペーサで重合することにより形成した一対の可撓性シートと、前記絶縁シートの開口部において前記可撓性シートの対向面にそれぞれ形成し、前記開口部位置において前記可撓性シートの厚み方向の荷重が加わると接触するスイッチ部を形成する第１の電極及び第２の電極と、前記可撓性シート対向面に形成され、前記第１の電極に接続された第１の配線及び第２の電極に接続された第２の配線と、前記１対の可撓性シートから延設され、前記第１の配線及び第２の配線の一部を集積して先端部まで引き回されたテイル部と、を有するメンブレンスイッチと、
外部から操作可能に前記メンブレンスイッチを取付ける取付け面と、該取付け面から後方に前記テイル部を折り曲げて、前記取付け面後方に配置した制御部と接続可能とする延出部と、前記延手部にて前記テイル部の折り曲げ量を規制する折曲規制部とを備えたことを特徴とするメンブレンスイッチを取り付けた電子機器。
【請求項３】
第１の絶縁フィルムと第２の絶縁フィルムとを所定位置に開口部を有する絶縁スペーサで重合することにより形成した一対の可撓性シートと、前記絶縁シートの開口部において前記可撓性シートの対向面にそれぞれ形成し、前記開口部位置において前記可撓性シートの厚み方向の荷重が加わると接触するスイッチ部を形成する第１の電極及び第２の電極と、前記可撓性シート対向面に形成され、前記第１の電極に接続された第１の配線及び第２の電極に接続された第２の配線と、前記１対の可撓性シートから延設され、前記第１の配線及び第２の配線の一部を集積して先端部まで引き回されたテイル部と、電子機器への取付け時に前記テイル部を折曲する際の前記テイル部の折曲部付近に折り曲げくせをつけやすくする切込みと、を有するメンブレンスイッチと、
外部から操作可能に前記メンブレンスイッチを取付ける取付け面と、該取付け面から後方に前記テイル部を折り曲げて、前記取付け面後方に配置した制御部と接続可能とする延出部と、前記延手部にて前記テイル部の折り曲げ量を規制する折曲規制部とを備えたことを特徴とするメンブレンスイッチを取り付けた電子機器。
【発明の詳細な説明】
【０００１】
【発明の属する技術分野】
本発明は電子レンジなどの電子機器に取り付けられるメンブレンスイッチ及びこのメンブレンスイッチを取り付けた電子機器に関する。
【０００２】
【従来の技術】
従来のメンブレンスイッチは、第１の絶縁フィルムと第２の絶縁フィルムとを所定位置に開口部を有する絶縁スペーサで重合することにより形成した一対の可撓性シートと、前記絶縁シートの開口部において前記可撓性シートの対向面にそれぞれ形成し、前記開口部位置において前記可撓性シートの厚み方向の荷重が加わると接触する第１の電極及び第２の電極と、前記可撓性シート対向面に形成され、前記第１の電極に接続された第１の配線及び第２の電極に接続された第２の配線と、前記１対の可撓性シートから延設され、前記第１の配線及び第２の配線の一部を集積して先端部まで引き回されたテイル部とから構成するものであった（例えば、特許文献１参照。）。
【０００３】
メンブレンスイッチを電子機器に取付ける場合は、前記一対の可撓性シートを電子機器の所定位置に接着などの方法により取り付け、テイル部をメンブレンスイッチの後方に配置された制御部と接続するために折曲されている。
【０００４】
【特許文献１】
特開２００１−７６５８３号公報
【０００５】
【発明が解決しようとする課題】
しかしながら、メンブレンスイッチを電子機器などに取り付ける際、メンブレンスイッチ部後方に配置した制御部と接続するためにテイル部を折り曲げる必要がある。このとき、テイル部は、局所的に折り曲がろうとせず、折れ曲がる付近全体が湾曲しようとし、この湾曲部分がテイル部近傍のスイッチ部にもかかって変形し、第１の電極と第２の電極が接触状態となる、すなわち外部から荷重をかけていないのにスイッチ部がオン状態となってしまう恐れがある。
【０００６】
本発明は、斯かる課題を解決するために為されたものである。
【０００７】
【課題を解決するための手段】
本発明に記載のメンブレンスイッチは、第１の絶縁フィルムと第２の絶縁フィルムとを所定位置に開口部を有する絶縁スペーサで重合することにより形成した一対の可撓性シートと、前記絶縁シートの開口部において前記可撓性シートの対向面にそれぞれ形成し、前記開口部位置において前記可撓性シートの厚み方向の荷重が加わると接触するスイッチ部を形成する第１の電極及び第２の電極と、前記可撓性シート対向面に形成され、前記第１の電極に接続された第１の配線及び第２の電極に接続された第２の配線と、前記１対の可撓性シートから延設され、前記第１の配線及び第２の配線の一部を集積して先端部まで引き回されたテイル部と、電子機器への取付け時に前記テイル部を折曲する際の前記テイル部の折曲部付近に折り曲げくせをつけやすくする切込みを設けたことを特徴とする。
【０００８】
また、本発明に記載のメンブレンスイッチを取り付けた電子機器は、第１の絶縁フィルムと第２の絶縁フィルムとを所定位置に開口部を有する絶縁スペーサで重合することにより形成した一対の可撓性シートと、前記絶縁シートの開口部において前記可撓性シートの対向面にそれぞれ形成し、前記開口部位置において前記可撓性シートの厚み方向の荷重が加わると接触するスイッチ部を形成する第１の電極及び第２の電極と、前記可撓性シート対向面に形成され、前記第１の電極に接続された第１の配線及び第２の電極に接続された第２の配線と、前記１対の可撓性シートから延設され、前記第１の配線及び第２の配線の一部を集積して先端部まで引き回されたテイル部と、を有するメンブレンスイッチと、外部から操作可能に前記メンブレンスイッチを取付ける取付け面と、該取付け面から後方に前記テイル部を折り曲げて、前記取付け面後方に配置した制御部と接続可能とする延出部と、前記延手部にて前記テイル部の折り曲げ量を規制する折曲規制部とを備えたことを特徴とする。
【０００９】
さらに、本発明に記載のメンブレンスイッチを取り付けた電子機器は、第１の絶縁フィルムと第２の絶縁フィルムとを所定位置に開口部を有する絶縁スペーサで重合することにより形成した一対の可撓性シートと、前記絶縁シートの開口部において前記可撓性シートの対向面にそれぞれ形成し、前記開口部位置において前記可撓性シートの厚み方向の荷重が加わると接触するスイッチ部を形成する第１の電極及び第２の電極と、前記可撓性シート対向面に形成され、前記第１の電極に接続された第１の配線及び第２の電極に接続された第２の配線と、前記１対の可撓性シートから延設され、前記第１の配線及び第２の配線の一部を集積して先端部まで引き回されたテイル部と、電子機器への取付け時に前記テイル部を折曲する際の前記テイル部の折曲部付近に折り曲げくせをつけやすくする切込みと、を有するメンブレンスイッチと、外部から操作可能に前記メンブレンスイッチを取付ける取付け面と、該取付け面から後方に前記テイル部を折り曲げて、前記取付け面後方に配置した制御部と接続可能とする延出部と、前記延手部にて前記テイル部の折り曲げ量を規制する折曲規制部とを備えたことを特徴とする。
【００１０】
【発明の実施の形態】
図１において、１は加熱調理器の一実施例となるオーブンレンジを示し、２は本体、３はドアである。
【００１１】
４は本体２の外郭を覆う外装部、５はドア３閉塞時にドア３と対向する前面板、６は本体２の前面に備えられ、使用者が各種情報を入力するため後述するメンブレンスイッチなどが配置された操作パネル部、７は外装部４内に配置した加熱室である。
【００１２】
前記加熱室７は、ドア３により開閉される前面開口８と、右側面上部に配置され、後述する赤外線センサの検出経路部材９が外壁に接続される検出孔１０と、底部にシリコン１２で外周をシール止めしたマイクロ波透過性材料の底板１１と、から構成されている。
【００１３】
前記検出経路部材９は、箱形形状であり、該箱形形状の底面には赤外線センサが取り付けられ、該底面に赤外線センサで赤外線を検出するための貫通孔が設けられている。
【００１４】
前記加熱室７内には、加熱される食品１３が収納され、後述するマグネトロンからのマイクロ波などにより加熱される。また前記赤外線センサは、加熱室７内の食品１３の温度を前記赤外線センサにより検出して加熱進行を検出するためのものである。
【００１５】
図２において、前記操作パネル部６は、液晶などで形成され、加熱時間や設定内容などを表示する表示部を配置する表示用開口１４と、使用者が加熱時間等を設定入力するメンブレンスイッチを接着などの方法により取り付けるキー取り付け部１５とを有している。
【００１６】
前記キー取り付け部１５に取り付けるメンブレンスイッチ１６は、図３に示すように、使用者の操作によりオンオフするスイッチ部１８を多数配置するキー入力部１７と、キー入力部１７から延設され、各スイッチ部１８から引き出された配線１９を後述する制御部に接続するために集積したテイル部２０とを有している。通常、前記制御部は、操作パネル部６の後方に配置されている。
【００１７】
また、キー入力部１７は、図４に示すように、ＰＥＴフィルムなどの材料から形成された絶縁樹脂フィルムからなる第１の絶縁シート２１及び第２の絶縁シート２２と、第１の絶縁シート２１と第２の絶縁シート２２との間に、所定間隔を離すために設けられ、前記スイッチ部１８位置に開口２３ａを有するスペーサ２３と、を有している。また、第１の絶縁シート２１と第２の絶縁シート２２とのうちスペーサ２３の開口２３ａに位置において、互いに対向面の第１の絶縁シート２１には第１の電極２４を、さらに第２の絶縁シート２２には第２の電極２５を配置している。なお、前記第１の絶縁シート２１および第２の絶縁シート２２は、本発明の一対の可撓性シートに相当する。
【００１８】
該スイッチ部１８は、使用者が図４中のＡ方向から指で押すなどの荷重をかける、すなわち可撓性シートの厚み方向に荷重をかけると、第１の絶縁シート２１、第２の絶縁シート２２及びスペーサ２３が変形して第１の電極２４と第２の電極２５とが接触し、スイッチ部１８がオフ状態からオン状態に移行するよう動作する。なお、Ａ方向の荷重を無くしたとき、第１の絶縁シート２１、第２の絶縁シート２２及びスペーサ２３が、変形に対抗する応力により元の形状に戻ろうとし、このとき第１の電極２４及び第２の電極２５は離れ、スイッチ部１８がオン状態からオフ状態へ移行する。
【００１９】
斯かる構成において、操作パネル部６のキー取り付け部１５にメンブレンスイッチ１６を取り付けたとき、テイル部２０をキー取り付け部１５から後方へ折曲して制御部に接続する。このとき、テイル部２０は、キー入力部１７との境界部分近傍全体が変形して折れ曲がろうとする。テイル部２０近傍のスイッチ部１８は、図５に示すように、折れ曲がろうとする変形により、第１の絶縁シート２１及び第２の絶縁シート２２が互いに接近し、使用者の操作に基づかず、第１の電極２４と第２の電極２５とが接触してスイッチオン状態となる恐れがある。
【００２０】
斯かる課題を解決するために、図３に示すように、テイル部２０のうち、キー入力部１７とテイル部２０との境界近傍に切り込み２６を設けた構成としている。
【００２１】
この切り込み２６を設けることにより、テイル部２０の折曲部範囲、すなわち第１の絶縁シート２１及び第２の絶縁シート２２が変形する範囲を小さして、スイッチ部１８にかからないようにでき、図５に示すようなスイッチ部１８の不所望なオン状態となることを回避することができるのである。
【００２２】
前述の切り込み２６を設ける構成とは別に、図６に示すように、操作パネル部６のうち、テイル部２０が後方に折り曲げられる部分に対応する位置に、テイル部２０の折り曲げ角度を必要以上に大きくして、第１の絶縁シート２１及び第２の絶縁シート２２の変形量を大きくすることがないように、折り曲げ規制用の折り曲げ規制リブ２７を設けてもよい。かかる折り曲げ規制リブ２７によっても、前述のようなスイッチ部１８の不所望なオン状態となることを回避することができる。
【００２３】
なお、切り込み２６及び折り曲げ規制リブ２７の両方を備える構成としても、もちろん良い。
【００２４】
図７において、２８は加熱室７内の食品温度を検知する赤外線センサ、２９はマイクロ波を発振し、加熱室７内にマイクロ波を供給して食品１３をマイクロ波加熱するマグネトロン、３０は加熱室７の上部外壁や底板１１の外壁に配置したシーズヒータなどのヒータ、３１は操作パネル部１４に配置される表示部、３２はキー入力部１７と接続され、赤外線センサ２８からの検知温度に基づいてマグネトロン２９やヒータ３０を制御する制御部である。なお、前述のマグネトロン２６及びヒータ２７は加熱手段に相当する。
【００２５】
参考までに、制御部３２の動作について、図８のフローチャートに基づいて説明する。
【００２６】
まずステップＳ１でキー入力部１７から加熱条件、例えばレンジ加熱３分などを入力設定する。ステップＳ２ではキー入力部１７のスタートキーが操作されたかどうか判断する。かかるステップでは、スタートキーが操作されるまで待機状態となる。またスタートキーが操作されたと判断すると、ステップＳ３へ移行する。
【００２７】
ステップＳ３では、ステップＳ１で設定されや加熱条件に基づいて、マグネトロン２９やヒータ３０を駆動制御し、加熱動作を実行する。ステップＳ４ではステップＳ３の動作を終了するかどうか判断する。すなわち、ステップＳ１での加熱条件において加熱時間が設定されていると加熱時間が経過したかどうか判断し、温度設定されていれば赤外線センサ２８で設定温度を検知したかどうか判断する。斯かるステップでは，終了したと判断されるまで待機状態となる。また終了したと判断されるとステップＳ５に移行する。
【００２８】
ステップＳ５では、ステップＳ３で実行していたマグネトロン２９またはヒータ３０の駆動を停止し、図示しない報知手段により終了報知して使用者に加熱調理の終了を知らせて加熱動作を終了する。
【００２９】
【発明の効果】
本発明によれば、メンブレンスイッチを操作パネル部に取り付けたとき、キーが入りっぱなしになるという、不良の発生を抑制できるものである。
【図面の簡単な説明】
【図１】本発明の一実施例のオーブンレンジのドアを開放したときの外観図である。
【図２】操作パネル部の外観図である。
【図３】本発明の一実施態様を示すメンブレンスイッチの外観図である。
【図４】メンブレンスイッチのスイッチ部の断面図である。
【図５】メンブレンスイッチを操作パネル部に取り付けたときのスイッチ部が不所望に変形した様子を示す断面図である。
【図６】本発明の他の実施対ようを示す操作パネル部の後方から見た外観図である。
【図７】本発明のオーブンレンジの制御ブロック図を示す図である。
【図８】制御部の動作フローチャートを示す図である。
【符号の説明】
６    操作パネル部
１６    メンブレンスイッチ
２０    テイル部
２６    切り込み
２７    折れ曲がり規制リブ
【図１】
2004355866.tif 000003
【図２】
2004355866.tif 000004
【図３】
2004355866.tif 000005
【図４】
2004355866.tif 000006
【図５】
2004355866.tif 000007
【図６】
2004355866.tif 000008
【図７】
2004355866.tif 000009
【図８】
2004355866.tif 000010